【事件の表示】
　平成１１年特許願第１２１１０２号「カートリッジ」拒絶査定に対する審判事件［平成１２年１１月　７日出願公開、特開２０００−３１１４６１］について、次のとおり審決する。
【結　論】
　本件審判の請求は、成り立たない。
【理　由】
 Ｉ．出願の経緯及び本願発明
　本願は平成１１年４月２８日の出願であって、その請求項１に係る発明（以後「本願発明」という）は、平成１４年９月１７日付け手続補正によって補正された明細書の特許請求の範囲の請求項１に記載される事項によって特定される次のとおりのものである。
「【請求項１】　スピンドルモータの回転軸とはめ合うセンターホールを有する磁性材料からなるセンターハブが中央部に固定されたディスクを可動的に収納し、該センターハブの外形とカートリッジ内壁とで、該ディスクのディスク径方向の動きを規制するカートリッジにおいて、
　上記センターハブに設けられた凸部あるいは凹部と対をなすように、上記ディスクを回転駆動させるスピンドルモータとディスクとに対向するカートリッジ内壁上に凹部あるいは凸部を設け、上記カートリッジ内壁あるいは上記センターハブに設けられた凹部あるいは凸部の周部の何れか一周部がテーパ形状をなし、上記スピンドルモータの回転軸の挿入に伴って、上記センターハブに設けられた凸部あるいは凹部が上記カートリッジ内壁の凹部あるいは凸部と接触し、上記テーパ形状に沿って移動可能な構成としたことを特徴とするカートリッジ。」
II．引用刊行物に記載の発明
（１）　これに対し、当審で拒絶の理由として引用した特開平４−２６８２４３号公報（以後、「刊行物１」という）には、ディスクをカートリッジ内に収容し、該カートリッジでディスクを保護するようにした所謂ディスクカートリッジに関し（公報【０００１】参照）、
「【請求項１】
　ディスクと、該ディスクを収容したカートリッジとを備えていて、
　前記ディスクとカートリッジの少なくともいずれか一方には、ディスクに対してカートリッジが下降して、両者が接触したときに、ディスクをカートリッジ内の所定の位置に位置決めするテーパー状のディスク位置決め部を形成したことを特徴とするディスクカートリッジ。」（公報【特許請求の範囲】参照）、
「【０００４】
　そして、前記ディスクカートリッジ１０６をディスクドライブ１０７のカートリッジホルダ１０８内に挿入して、該カートリッジホルダ１０８と共に下降させると、ディスクドライブ１０７のスピンドルシャフト１０９の先端が前記ハブ１０３の中央部に設けたシャフト挿入孔１１０に嵌まり込むと共に、前記スピンドルシャフト１０９に取付けたターンテーブル１１１が前記切欠孔１０５からカートリッジ１０６内に導入されて、前記ハブ１０３を支持し、ディスク１０２をカートリッジ１０１の下面１０４から浮き上がらせた状態、つまり非接触状態にして、ターンテーブル１１１と共にディスク１０２を回転させるようになっている。
【０００５】
　【発明が解決しようとする課題】
　ところで上記従来のディスクカートリッジにあっては、カートリッジ１０１内でディスク１０２が動いてしまうため、ディスクローディング時に、ハブ１０３の中央部に設けたシャフト挿入孔１１０とスピンドルシャフト１０９の位置が前後、左右等にズレて、スピンドルシャフト１０９の先端がシャフト挿入孔１１０内に円滑に挿入されず、スピンドルシャフト１０９の先端面によって、ディスク１０２が持ち上げられて、スピンドルシャフト１０９の先端がうまくシャフト挿入孔１１０内に嵌まり込まないという問題点があった。」、
「【０００７】
　本発明は上記従来の問題点を解消し、ハブロック機構等を備えておらず、このためディスクがカートリッジ内でガタついて、
位置ズレを起こしやすいディスクカートリッジにおいても、ディスクローディング時にはディスクを正規の位置にセットしてシャフト挿入孔にスピンドルシャフトの先端を円滑に挿入することのできるディスクカートリッジを提供することを目的
「【０００８】
　【課題を解決するための手段】
　ディスクと、該ディスクを収容したカートリッジとを備えたディスクカートリッジにおいて、前記
ディスクとカートリッジの少なくともいずれか一方には
ディスクに対してカートリッジが下降して、両者が接触したときに、ディスクをカートリッジ内の所定の位置に位置決めするテーパー状のディスク位置決め部
「【００１２】
　前記ディスク２は図２に示したようにガラスやアルミニュウム等の硬質基板の表面に記録層を設けたハードディスクとして構成されていて、その中央部には円形のハブ５が設けられていると共に、該ハブ５の中央部にシャフト挿入孔６が形成されている。」
「【００１４】
　そして、前記凹部１１の中央にハブ５が位置しているときに、該ハブ５に設けたシャフト挿入孔６と後記するディスクドライブ２１のスピンドルシャフト５０の位置が合致するようになっている。
【００１５】
　従ってディスクローディング時に前記ハブ５が凹部１１の中央に位置しているときには、シャフト挿入孔６にスピンドルシャフト５０が円滑に挿入されるのであるが、ハブ５が凹部１１の中央からズレた位置にあるときには、シャフト挿入孔６にスピンドルシャフト５０が円滑に挿入されず、スピンドルシャフト５０の先端でハブ５乃至ディスク２がカートリッジの上方に持ち上げられてしまう。
【００１６】
　このような場合に、ハブ５を凹部１１の中央の真上に移動させて、シャフト挿入孔６へスピンドルシャフトを円滑に挿入させるのが本発明の要旨（必須構成要素）である
テーパー状のディスク位置決め部１２
「【００２５】
　カートリッジ３が下降すると、
該カートリッジ３に設けたリング状のディスク位置決め部１２の先端がディスク２に設けたリング状のディスク位置決め部１２のテーパー面１３に接触し、更にカートリッジ３が下降すると、前記テーパー面１３によってディスク２はカートリッジ３に対して相対的に移動し、ディスク２はカートリッジ３内の所定位置、つまりスピンドルシャフト５０の真上にシャフト挿入孔６が来る位置に位置決め固定された状態になる。
「【００３４】
　また
図７に示す第３実施例は、ディスク２とハブ５の内周側（ハブ５の外周部近傍位置）にリング状のディスク位置決め部１２，１２を形成し、ディスク側のディスク位置決め部１２の内周をテーパー面１３とし、カートリッジ側の外周をテーパー面１４として、ディスク２のリング状のディスク位置決め部１２の内周側に、カートリッジ３のディスク位置決め部１２を嵌合する
【００３５】
　また図８に示す第４実施例は、第３実施例における場合と、テーパー面１３，１４を逆向きにして、ディスク２のリング状のディスク位置決め部１２の外周側にカートリッジ３のディスク位置決め部１２を嵌合するようにした場合を示している。
【００３６】
　なお図面に示す実施例では
ディスク２とカートリッジ３の双方に、テーパー状のディスク位置決め部１２を設けたが、いずれか一方に設けてもよい
の記載があり、これらの記載事項と各図を総合すると、
刊行物１には、
「スピンドルシャフト５０とはめ合うシャフト挿入孔６を有するハブ５が中央部に固定されたディスク２を可動的に収納したカートリッジ３において、
　上記ハブ５に設けられた凸部からなるディスク位置決め部１２と対をなすように、上記ディスク２を回転駆動させるスピンドルシャフト５０とディスク２とに対向するカートリッジ内壁上に凹部からなるディスク位置決め部１２を設け、上記カートリッジ内壁あるいは上記ハブ５に設けられた凹部あるいは凸部の周部の何れか一周部がテーパ面１３又は１４をなし、上記スピンドルシャフト５０の挿入に伴って、上記ハブ５に設けられた凸部が上記カートリッジ内壁の凹部と接触し、上記テーパ面１３，１４に沿って移動可能な構成としたことを特徴とするカートリッジ３。」
の発明（以後、「刊行物１に記載の発明」という）が記載されていると認められる。
（２）　同様に、当審で、上記刊行物１と同時に引用した特開平８−２０３１２９号公報（以後、「刊行物２」という）には、光学式情報記録ディスク及び光学式情報記録ディスクカートリッジに関し、
「【００１１】
　　【実施例】  ・・・（中略）・・・
　（実施例１）
　図１に、この発明の一実施例である光学式情報記録ディスク（１）を示す。
　図１に示されるように、光学式情報記録ディスク（１）にはセンター孔（１ａ）が穿設されている。該光学式情報記録ディスク（１）の情報記録面のある表面側には、該センター孔（１ａ）の周囲にセンター孔よりも大径の環状突起部（１ｂ）が立設されている。該環状突起部（１ｂ）の内側とセンター孔（１ａ）との間には環状段部（１ｃ）が形成されており、該環状段部（１ｃ）には、クランプ用のハブ（２）のつば部（２ａ）が固定されている。
ハブ（２）は、軟磁性材等の磁性材からなり
【００１２】
　図２に、図１で示された光学式情報記録ディスク（１）が、ＣＤ、ＣＤ?ＲＯＭ等の再生専用型として、例えばトレイ（図示せず）に単体のまま載置された場合のターンテーブル（３）への磁気的保持状態を示す。図２に示されるように、
磁気的保持は、光学式情報記録ディスク（１）のセンター孔（１ａ）がターンテブルの筒状部材（４）の円錐状傾斜面に当接すると、磁石（５）の吸引力によりハブ（２）が下方に吸引され、該磁気吸引により光学式情報記録ディスク（１）は、圧縮バネ（６）によって上方に付勢されている筒状部材（４）を下方に押圧しつつ自動的に調芯され、ターンテーブル（３）のディスク支持面で支えられ、ハブ（２）への磁気吸引力の作用によってディスク支持面上に確実に保持されることによって行われる
【００１４】
　図４は、図１に示された光学式情報記録ディスク（１）が、カートリッジ（７）内に収納され、ターンテーブル（３）に磁気的保持された状態を示す。図４に示されるように、カートリッジ（７）は、上蓋（７ａ）と下蓋（７ｂ）とからなり、上蓋（７ａ）と下蓋（７ｂ）で形成される空間内に光学式情報記録ディスク（１）が収納されている。
カートリッジ上蓋（７ａ）の裏面中央部には、光学式情報記録ディスクの環状突起部（１ｂ）を受けいれることのできる径を有する円盤状凹部（８）が該環状突起部（１ｂ）に対向して形成されている。
円盤状凹部（８）は底に向かって円錐状のテーパー（８ａ）を形成しており、該円盤状凹部（８）と環状突起部（１ｂ）との間には所定のガタが形成されている。該テーパー（８ａ）によって光学式情報記録ディスクの環状突起部（１ｂ）の円盤状凹部（８）への位置決め嵌入が容易となっている。
光学式情報記録ディスク（１）半径方向への移動は、円盤状凹部（８）と環状突起部（１ｂ）とのガタの範囲に規制されている。
の記載があり、総合すると、
「ターンテーブルの筒状部材（４）とはめ合うセンター孔（１ａ）と、その周囲に立設された環状突起部（１ｂ）との間の環状段部（１ｃ）につば部（２ａ）を固定された軟磁性体からなるクランプ用ハブ（２）が固定されたディスク（１）を可動的に収納し、該環状突起部（１ｂ）の外形とカートリッジ内壁とで、該ディスク（１）のディスク径方向の動きを規制するカートリッジ（７）において、
　上記ディスク（１）の環状突起部（１ｂ）と対をなすように、上記ディスク（１）を回転駆動させるターンテーブルの筒状部材（４）とディスク（１）とに対向するカートリッジ内壁上に円盤状凹部（８）を設け、上記カートリッジ内壁に設けられた円盤状凹部（８）に底に向かって円錐状のテーパー（８ａ）が形成され、上記ターンテーブルの筒状部材（４）の挿入に伴って、ディスクの環状突起部（１ｂ）の円盤状凹部（８）への位置決め嵌入が容易となる構成としたことを特徴とするカートリッジ（７）。」において、光学式情報記録ディスク（１）のセンター孔（１ａ）がターンテブルの筒状部材（４）の円錐状傾斜面に当接すると、磁石（５）の吸引力によりハブ（２）が下方に吸引され、該磁気吸引により光学式情報記録ディスク（１）が、圧縮バネ（６）によって上方に付勢されている筒状部材（４）を下方に押圧しつつ自動的に調芯され、ターンテーブル（３）のディスク支持面で支えられ、
ハブ（２）への磁気吸引力の作用によってディスク支持面上に確実に保持される
III．対比・判断
　本願発明と刊行物１に記載の発明とを対比すると、刊行物１に記載の発明の「スピンドルシャフト５０とはめ合うシャフト挿入孔６」、「ハブ５」、「ハブ５に設けられた凸部からなるディスク位置決め部１２」、「カートリッジ内壁上に設けた凹部からなるディスク位置決め部１２」、「テーパ面１３又は１４」が、それぞれ、本願発明の「スピンドルモータの回転軸とはめ合うセンターホール」、「センターハブ」、「センターハブに設けられた凸部」、「カートリッジ内壁上に設けた凹部」、「テーパ形状」に相当することは明らかであるから、
両者は、
「スピンドルモータの回転軸とはめ合うセンターホールを有するセンターハブが中央部に固定されたディスクを可動的に収納するカートリッジにおいて、
　上記センターハブに設けられた凸部と対をなすように、上記ディスクを回転駆動させるスピンドルモータとディスクとに対向するカートリッジ内壁上に凹部を設け、上記カートリッジ内壁あるいは上記センターハブに設けられた凹部あるいは凸部の周部の何れか一周部がテーパ形状をなし、上記スピンドルモータの回転軸の挿入に伴って、上記センターハブに設けられた凸部あるいは凹部が上記カートリッジ内壁の凹部あるいは凸部と接触し、上記テーパ形状に沿って移動可能な構成としたことを特徴とするカートリッジ。」
で一致し、
相違点１：
　本願発明では「センターハブ」が「磁性材料からなる」のに対して、刊行物１に記載の発明では「センターハブ」の材質については何の限定もされていない。
相違点２：
　本願発明では、「センターハブの外形とカートリッジ内壁とで、該ディスクのディスク径方向の動きを規制する」のに対し、刊行物１に記載の発明では、この機能について明記されていない。
の２点で相違する。
　そこで、この２点について、詳細に検討する事にする。
　相違点１について、「センターハブ」を「磁性材料」で形成する点は、
本願明細書の【従来の技術】の欄に、「図３において、スピンドルモータ２のターンテーブル３には永久磁石４がターンテーブルのディスク支受面５以外の部分に固定されている。一方、ディスク１には、センターホール６を有する、磁性材料で作られたセンターハブ７が固定されており、センターホール６がスピンドルモータ２の回転軸８とはめ合い、ターンテーブルの永久磁石４がセンターハブ７を引き付けることでディスク支受面５上にディスク１が引きつけられることとなり、ディスク１の姿勢が定まり、安定したディスク回転が可能な状態となる。」と記載されているだけで、【課題を解決するための手段】、【発明の実施の形態】の欄の何れにも記載の無い事項であって、本来、発明の構成とは認めがたい事項ではあるが、一応、本願発明の前提事項と解釈して判断することにする。
　上記【従来の技術】の記載によれば、センターハブを磁性材料で構成すると、ターンテーブルの永久磁石と引き合って、ディスク支受面上にディスクが引きつけられることとなり、ディスクの姿勢が定まり、安定したディスク回転が可能な状態となる効果を得られ、それが「センターハブ」を「磁性材料」で形成する理由と考えられるが、これはローデイング時のスピンドルモータの回転軸とセンターホールのはめ合いを改善するという本願発明の解決しようとする課題とは無関係な、別の独立した効果である。
　そして、このようにセンターハブを吸引することによって、ディスクの姿勢が定まり、安定したディスク回転が可能な状態となる効果を得ることは刊行物２においてすでに公知のものであり、センターハブ自体を磁性材料で形成することも、請求人が本願明細書中で従来技術と認め、また特開平５−５４５８４号公報、特開昭６３−９４４８１号公報（特に第９図のもの）、特開平８−２８７６３５号公報等に例示されるように本願出願時にすでに周知の技術に過ぎないので、この相違点１は、刊行物１に記載の発明に周知技術を単に（寄せ集め的に）付加したもの過ぎず、当業者が容易に想到可能な範囲の事項である。
　この点について、請求人は、平成１４年９月１７日付け意見書で、「センターハブを磁性材料とするとともに、凸部あるいは凹部を形成していることにより、センターハブ以外の部分に凸部或いは凹部が形成された場合に比べて、より精度良くディスクの位置決めを行うことができる」と主張しているが、以上論じた如く、「センターハブを磁性材料とする」ことと「より精度良くディスクの位置決めを行う」こととは無関係である。
　相違点２については、刊行物２において、「光学式情報記録ディスク（１）半径方向への移動は、円盤状凹部（８）と環状突起部（１ｂ）とのガタの範囲に規制されている。」と記載されているように、ディスク側の凸部とカートリッジ内壁の凹部が噛み合えば必然的に生じる効果であり、同様な構成を有する刊行物１に記載の発明も当然備える効果を明記しただけのものに過ぎない。
　従って、これらの相違点はいずれも本願発明を格別に特徴付けるに足りる程のものとは認められない。
IV．結び
　以上より、本願発明は当審で引用した刊行物に記載の発明及び本願出願時すでに周知の技術に基づいて、当業者が容易に発明をすることができたものであるから、特許法第２９条第２項の規定により、特許を受けることが出来ない。
　よって、結論のとおり審決する。